(57)【要約】【課題】冷蔵冷却中の冷蔵空間の湿度低下を防ぐことができる冷蔵庫を提供する【解決手段】貯蔵室である冷蔵空間及び冷凍空間と、前記冷蔵空間を冷却する冷気を発生させる冷蔵冷却器と、前記冷凍空間を冷却する冷気を発生させる冷凍冷却器と、前記冷凍冷却器で発生した冷気を前記冷凍空間へ送る冷凍ファンとが設けられ、制御全体の少なくとも一部において前記冷蔵空間の冷却と前記冷凍空間の冷却とが交互に実施される冷蔵庫において、前記冷蔵空間の冷却中に前記冷凍ファンが回転して前記冷凍冷却器から前記冷蔵空間へ送風されることを特徴とする。【選択図】図６
2020008245.tif 000002
【特許請求の範囲】
【請求項１】
貯蔵室である冷蔵空間及び冷凍空間と、前記冷蔵空間を冷却する冷気を発生させる冷蔵冷却器と、前記冷凍空間を冷却する冷気を発生させる冷凍冷却器と、前記冷凍冷却器で発生した冷気を前記冷凍空間へ送る冷凍ファンとが設けられ、
制御全体の少なくとも一部において前記冷蔵空間の冷却と前記冷凍空間の冷却とが交互に実施される冷蔵庫において、
前記冷蔵空間の冷却中に前記冷凍ファンが回転して前記冷凍冷却器から前記冷蔵空間へ送風されることを特徴とする冷蔵庫。
【請求項２】
前記冷凍空間の冷却の直後に実施される前記冷蔵空間の冷却中に、前記冷凍ファンが回転して前記冷凍冷却器から前記冷蔵空間へ送風される、請求項１に記載の冷蔵庫。
【請求項３】
前記冷凍冷却器から前記冷蔵空間への送風路を開閉するダンパが設けられ、
前記ダンパは、前記冷蔵空間の冷却中に前記冷凍ファンが回転して前記冷凍冷却器から前記冷蔵空間へ送風されるときに開き、それ以外のときに閉じる、請求項１又は２に記載の冷蔵庫。
【請求項４】
前記冷凍冷却器の温度を測定する温度センサが設けられ、
前記冷蔵空間の冷却中に前記冷凍ファンが回転して前記冷凍冷却器から前記冷蔵空間へ送風されているときに、前記温度センサが測定する温度が所定温度以上となった場合に、前記冷凍冷却器から前記冷蔵空間への送風が停止する、請求項１〜３のいずれか１項に記載の冷蔵庫。
【請求項５】
前記冷凍冷却器から前記冷蔵空間への送風路に、前記冷蔵空間への空気の吹出口が複数設けられた、請求項１〜４のいずれか１項に記載の冷蔵庫。
【請求項６】
前記冷凍冷却器から前記冷凍空間への冷気の吹出口を開閉するダンパが設けられ、
前記ダンパは、前記冷凍空間の冷却中は開き、それ以外のときに閉じる、請求項１〜５のいずれか１項に記載の冷蔵庫。
【請求項７】
前記冷凍空間内に製氷が実施される製氷室が設けられ、
前記冷蔵空間の冷却中に前記冷凍ファンが回転して前記冷凍冷却器から前記冷蔵空間へ送風されているときに、前記製氷室で製氷が実施される場合は、前記冷凍冷却器から前記製氷室への送風が実施される、請求項６に記載の冷蔵庫。
【発明の詳細な説明】
【技術分野】
【０００１】
本発明の実施形態は冷蔵庫に関する。
【背景技術】
【０００２】
例えば特許文献１や特許文献２に記載のように、冷蔵空間を冷却する冷気を発生させる冷蔵冷却器と、冷凍空間を冷却する冷気を発生させる冷凍冷却器とを有する冷蔵庫が知られている。このような冷蔵庫では、通常、冷蔵空間を冷却する冷蔵冷却と冷凍空間を冷却する冷凍冷却とが交互に行われる。
【０００３】
そして、例えば特許文献１に記載のように、冷凍冷却中すなわち冷凍冷却器で冷気が発生し冷蔵冷却器で冷気が発生していないときに、冷蔵冷却器から冷蔵空間へ空気を送るためのファンを回し、冷蔵冷却器に付着した水分を蒸発させて冷蔵空間へ送り冷蔵空間を加湿することが提案されていた。
【０００４】
また、例えば特許文献２に記載のように、冷凍冷却器で発生した冷気の一部を冷蔵空間に導入することが提案されていた。
【先行技術文献】
【特許文献】
【０００５】
【特許文献１】特開２００３−１９４４４９号公報
【特許文献２】特開２００６−２２６６１４号公報
【発明の概要】
【発明が解決しようとする課題】
【０００６】
上記のように冷凍冷却中に冷蔵冷却器から冷蔵空間へ空気を送るだけでは、冷蔵冷却中に冷蔵空間の湿度低下を防ぐことができなかった。
【０００７】
そこで本発明は、冷蔵冷却中の冷蔵空間の湿度低下を防ぐことができる冷蔵庫を提供することを課題とする。
【課題を解決するための手段】
【０００８】
実施形態の冷蔵庫は、貯蔵室である冷蔵空間及び冷凍空間と、前記冷蔵空間を冷却する冷気を発生させる冷蔵冷却器と、前記冷凍空間を冷却する冷気を発生させる冷凍冷却器と、前記冷凍冷却器で発生した冷気を前記冷凍空間へ送る冷凍ファンとが設けられ、制御全体の少なくとも一部において前記冷蔵空間の冷却と前記冷凍空間の冷却とが交互に実施される冷蔵庫において、前記冷蔵空間の冷却中に前記冷凍ファンが回転して前記冷凍冷却器から前記冷蔵空間へ送風されることを特徴とする。
【図面の簡単な説明】
【０００９】
【図１】実施形態の冷蔵庫の縦断面図。
【図２】実施形態の冷蔵庫の正面図（扉、棚、容器、及びダンパは図示省略されている）。
【図３】送風路の縦断面図。
【図４】実施形態の冷凍サイクルを示す図。
【図５】実施形態の冷蔵庫のブロック図。
【図６】実施形態の制御のタイムチャート。
【図７】変更例５の冷蔵庫の正面図（扉、棚、容器、及びダンパは図示省略されている）。
【発明を実施するための形態】
【００１０】
実施形態の冷蔵庫１０について図面に基づき説明する。なお、以下の実施形態は例示であり、発明の範囲はこれに限定されない。以下の実施形態は、その他の様々な形態で実施されることが可能であり、発明の要旨を逸脱しない範囲で、種々の省略、置換、変更を行うことができる。以下の実施形態やその変形は、特許請求の範囲に記載された発明とその均等の範囲に含まれるものである。
【００１１】
図１及び図２に実施形態の冷蔵庫１０を示す。冷蔵庫１０の断熱箱本体１２は、冷蔵庫１０の外郭を形成する外箱と、貯蔵室が形成された内箱とが組み合わされ、外箱と内箱との間に断熱材が詰められて構成されている。
【００１２】
断熱箱本体１２は仕切壁１４によって上下に区切られている。仕切壁１４の上部は冷蔵温度（例えば１〜４℃）に維持される冷蔵空間１３である。また仕切壁１４の下部は冷凍温度（例えば−２０〜−１５℃）に維持される冷凍空間１５である。冷蔵空間１３及び冷凍空間１５は食品を貯蔵する貯蔵室である。
【００１３】
冷蔵空間１３には上から順に貯蔵室としての冷蔵室２０及び野菜室２２が設けられている。冷蔵室２０には複数の載置棚やチルド室２４が設けられている。また野菜室２２には引出式の野菜容器が収納されている。冷蔵室２０の前方開口部は、観音式の左右一対の冷蔵室扉２１で開閉される。また、野菜室２２の前方開口部は、引き出し式の野菜室扉２３で開閉される。
【００１４】
冷凍空間１５には、貯蔵室として製氷室２６とその下の冷凍室２８とが設けられている。各室にはそれぞれ引き出し式の収納容器が収納されている。製氷室２６の前方開口部は引き出し式の製氷室扉２７で開閉され、冷凍室２８の前方開口部は引き出し式の冷凍室扉２９で開閉される。なお製氷室２６では所定の製氷実施条件が満たされると製氷が実施される。
【００１５】
冷蔵空間１３の背後には、冷気を発生させる冷蔵冷却器３０と、冷蔵冷却器３０で発生した冷気を循環させる冷蔵ファン３２とが設けられている。冷蔵ファン３２は例えば冷蔵冷却器３０の下方に配置されている。また、冷蔵冷却器３０から冷蔵空間１３の上端まで上方へ向かって延びるダクト３４が設けられている。ダクト３４の内部は冷気の流路の一部である。ダクト３４には複数の冷気の吹出口３６が設けられている。また冷蔵空間１３の例えば奥面には冷気の吸込口３８が設けられている。また、冷蔵冷却器３０の温度を測定する温度センサ３１（図５参照）が設けられている。
【００１６】
冷蔵冷却器３０で冷気が発生し冷蔵ファン３２が回転すると、冷気は、ダクト３４の中を通って、複数の吹出口３６から冷蔵空間１３へ吹き出る。冷蔵空間１３を循環した冷気は吸込口３８から吸い込まれて冷蔵冷却器３０の場所へ戻る。
【００１７】
また、冷凍空間１５の背後には、冷気を発生させる冷凍冷却器４０と、冷凍冷却器４０で発生した冷気を循環させる冷凍ファン４２とが設けられている。冷凍ファン４２は例えば冷凍冷却器４０の上方に配置されている。また、冷凍空間１５の奥面には冷気の吹出口４６及び吸込口４８が設けられている。そして、図１に示すように吹出口４６及び吸込口４８には第１ダンパ４７及び第２ダンパ４９が設けられている。第１ダンパ４７は吹出口４６を開閉し、第２ダンパ４９は吸込口４８を開閉する。また、冷凍冷却器４０の温度を測定する温度センサ４１（図５参照）が設けられている。
【００１８】
第１ダンパ４７及び第２ダンパ４９が開いた状態で冷凍冷却器４０において冷気が発生し冷凍ファン４２が回転すると、冷気は、吹出口４６から冷凍空間１５へ吹き出る。冷凍空間１５を循環した冷気は、吸込口４８から吸い込まれて冷凍冷却器４０の場所へ戻る。
【００１９】
さらに、図２に示すように、冷蔵空間１３及び冷凍空間１５の背後には、冷凍冷却器４０から上方へ向かって延び、冷凍冷却器４０から冷蔵空間１３へ送風する送風路４４が設けられている。送風路４４はいわゆるダクトである。送風路４４には冷蔵空間１３への複数の空気の吹出口４３が設けられている。吹出口４３は、例えば、野菜室２２とチルド室２４のそれぞれの奥面に存在する。なお図２では送風路４４がダクト３４から分離しておりダクト３４と交わらないものとして描かれているが、変更例５で説明するような形態もある。
【００２０】
また、図３に示すように、冷凍冷却器４０から冷蔵空間１３への送風路４４を開閉する第３ダンパ４５が設けられている。例えば、第３ダンパ４５は、野菜室２２とチルド室２４へのそれぞれの吹出口４３に設けられ、それらの吹出口４３を開閉することにより送風路４４を開閉する。第３ダンパ４５が開いた状態で冷凍ファン４２が回転すると、冷凍冷却器４０の周辺の空気が送風路４４を通って吹出口４３から冷蔵空間１３へ吹き出る。
【００２１】
図１に示すように、冷蔵庫１０の一画である後方下部には機械室１６が設けられている。機械室１６には圧縮機５０、凝縮器５１（図４参照）、及び圧縮機５０へ電力を供給するための電源等が配置されている。
【００２２】
図４に冷気を発生させる冷凍サイクルを示す。冷凍サイクルは、冷媒を圧縮して高温高圧の気体として吐出する圧縮機５０と、圧縮機５０から流出した冷媒を放熱液化させる凝縮器５１と、凝縮器５１から流出した冷媒の流路を切り替える切り替え弁５２とを有する。切り替え弁５２より下流側の一方の流路には、第１減圧装置５３と前記の冷蔵冷却器３０とが設けられている。切り替え弁５２より下流側の他方の流路には、第２減圧装置５４と前記の冷凍冷却器４０とが設けられている。
【００２３】
切り替え弁５２が操作されて凝縮器５１から第１減圧装置５３への冷媒の流路が開くと、冷蔵冷却器３０が例えば−１０〜−２０℃まで冷却されて冷気を発生させる。また、切り替え弁５２が操作されて凝縮器５１から第２減圧装置５４への冷媒の流路が開くと、冷凍冷却器４０が例えば−２５〜−３０℃まで冷却されて冷気を発生させる。
【００２４】
図５に示すように、圧縮機５０、切り替え弁５２、冷蔵ファン３２、冷凍ファン４２、第１ダンパ４７、第２ダンパ４９、第３ダンパ４５、温度センサ３１、４１等は、制御部５５に接続されている。制御部５５に接続されている各部の動作は制御部５５によって制御される。
【００２５】
制御部５５による制御の一部を図６に示す。制御部５５は冷凍空間１５の冷却（冷凍冷却）と冷蔵空間１３の冷却（冷蔵冷却）とを交互に実施する。ここで、冷凍冷却は、冷凍冷却器４０に冷媒が流れて冷凍冷却器４０で冷気が発生し、冷凍ファン４２が回転することによってその冷気が冷凍空間１５へ送られることで実現される。また、冷蔵冷却は、冷蔵冷却器３０に冷媒が流れて冷蔵冷却器３０で冷気が発生し、冷蔵ファン３２が回転することによってその冷気が冷蔵空間１３へ送られることで実現される。
【００２６】
冷凍冷却及び冷蔵冷却のそれぞれの開始条件及び終了条件は限定されない。例えば、一方の空間の冷却中にその空間の温度が所定の下限温度まで下がったときにその空間の冷却が終了し、次に他方の空間の冷却が始まる。例えば、冷蔵冷却中に冷蔵空間１３の温度が所定の下限温度まで下がると冷蔵冷却が終了して冷凍冷却が開始される。
【００２７】
また、冷凍冷却と冷蔵冷却とが交互に実施される中で、所定の条件が満たされた場合に、冷凍冷却も冷蔵冷却も行わない停止モードが実施される。ここでの所定の条件とは、例えば、圧縮機５０の連続運転時間が所定時間に達したことである。また、冷凍冷却と冷蔵冷却とが交互に実施される中で、別の所定の条件が満たされた場合に、冷凍冷却と冷蔵冷却とが同時に実施されても良い。
【００２８】
上記の通り制御部５５は冷凍冷却と冷蔵冷却とを交互に実施する。制御部５５は、冷蔵冷却が停止した状態で冷凍冷却を実施しているとき、圧縮機５０を稼動させ、冷凍冷却器４０において冷気を発生させ、冷凍ファン４２を回転させ、吹出口４６及び吸込口４８の第１ダンパ４７及び第２ダンパ４９を開いている。これにより、冷凍冷却器４０で発生した冷気が冷凍空間１５へ送られ、冷凍空間１５が適温となる。
【００２９】
また、制御部５５は、冷蔵冷却が停止した状態で冷凍冷却を実施しているとき、冷凍冷却器４０から冷蔵空間１３への送風路４４を開閉する全ての第３ダンパ４５を閉じ、冷凍冷却器４０で発生した冷気が冷蔵空間１３へ送られないようにする。
【００３０】
また、制御部５５は、冷蔵冷却が停止した状態で冷凍冷却を実施しているとき、冷蔵ファン３２を回転させる。冷凍冷却中、冷蔵冷却器３０では冷気が発生していない。しかし、冷蔵ファン３２が回転することにより、冷蔵冷却器３０に付着している霜や水滴が蒸発し、その水分が空気と共に冷蔵空間１３へ送られる。そのため冷蔵空間１３が加湿される。なお、冷凍冷却中の冷蔵ファン３２の回転は、冷蔵冷却器３０の温度センサ３１が測定する温度が所定温度（例えば３℃）以上となったときに停止しても良い。
【００３１】
次に、制御部５５は、冷凍冷却を停止し冷蔵冷却を実施しているとき、圧縮機５０を稼動させ、冷蔵冷却器３０において冷気を発生させ、冷蔵ファン３２を回転させる。これにより、冷蔵冷却器３０で発生した冷気が冷蔵空間１３へ送られ、冷蔵空間１３が適温となる。
【００３２】
また、制御部５５は、冷凍冷却を停止し冷蔵冷却を実施しているとき、冷凍冷却器４０から冷蔵空間１３への送風路４４を開閉する第３ダンパ４５を開き、冷凍ファン４２を回転させ、冷凍冷却器４０から冷蔵空間１３へ送風する。このとき、制御部５５は、複数の第３ダンパ４５の全てを開いても良いが、特定の第３ダンパ４５のみ（つまり野菜室２２及びチルド室２４への吹出口４３を開閉する第３ダンパ４５のうちいずれか１つのみ）を開いても良い。冷蔵冷却中は、冷凍冷却器４０では冷気が発生していない。しかし、冷凍ファン４２を回転させることにより、冷凍冷却器４０に付着している霜や水滴が蒸発し、その水分が空気と共に冷蔵空間１３へ送られる。そのため冷蔵空間１３が加湿される。
【００３３】
なお、制御部５５は、冷凍冷却を停止し冷蔵冷却を開始すると直ちに冷凍冷却器４０から冷蔵空間１３への送風を開始しても良いし、冷凍冷却を停止し冷蔵冷却を開始して所定時間経過した後に冷凍冷却器４０から冷蔵空間１３への送風を開始しても良い。また、制御部５５は、冷蔵冷却を終了する時に冷凍冷却器４０から冷蔵空間１３への送風を終了しても良いし、冷蔵冷却を終了する時よりも所定時間前に冷凍冷却器４０から冷蔵空間１３への送風を終了しても良い。
【００３４】
また、制御部５５は、冷凍冷却を停止し冷蔵冷却を実施しているとき、冷凍空間１５の吹出口４６及び吸込口４８の第１ダンパ４７及び第２ダンパ４９を閉じる。これにより、冷気を発生させていない冷凍冷却器４０から冷凍空間１５へ空気が送られない。
【００３５】
次に、制御部５５は、停止モード中は、圧縮機５０を停止させ、冷凍冷却器４０から冷蔵空間１３への送風路４４を開閉する第３ダンパ４５を閉じ、冷凍空間１５の吹出口４６及び吸込口４８の第１ダンパ４７及び第２ダンパ４９を閉じ、冷凍ファン４２を停止する。また、制御部５５は、図６に示すように停止モード中も冷蔵ファン３２を回転させても良いが、回転を停止させても良い。停止モード中も冷蔵ファン３２を回転させた場合、冷凍冷却中と同様に、冷蔵冷却器３０に付着している霜や水滴が蒸発し、その水分が空気と共に冷蔵空間１３へ送られる。
【００３６】
以上の制御によれば、冷蔵冷却以外のときも冷蔵ファン３２が回転するため、冷蔵冷却器３０から冷蔵空間１３へ湿度の高い空気が送られ冷蔵空間１３が加湿される。さらに、冷蔵冷却中であって冷凍冷却が実施されていないときに冷凍ファン４２が回転して冷凍冷却器４０から冷蔵空間１３へ送風されるため、冷凍冷却器４０から冷蔵空間１３へ湿度の高い空気が送られ冷蔵空間１３が加湿される。従って、冷蔵冷却以外のときはもちろんのこと、冷蔵冷却中であっても冷蔵空間１３の湿度低下を防ぐことができる。そのため冷蔵空間１３内の貯蔵物の品質を良好に保つことができる。
【００３７】
また、冷凍冷却器４０周辺の空気は冷蔵空間１３より温度が低いため、上記のように冷凍ファン４２が回転して冷凍冷却器４０から冷蔵空間１３へ送風されることにより、冷蔵空間１３が早く冷却される。特に、冷凍冷却の直後は冷凍冷却器４０の温度が低いため、冷凍冷却の直後の冷蔵冷却中に冷凍ファン４２が回転して冷凍冷却器４０から冷蔵空間１３へ送風されることにより、冷蔵冷却中に冷蔵空間１３が早く冷却されやすくなる。
【００３８】
また、上記のように冷凍冷却器４０から冷蔵空間１３への送風路４４を開閉する第３ダンパ４５が設けられている。そして、図６からもわかるように、第３ダンパ４５は、冷蔵冷却中に冷凍ファン４２が回転して冷凍冷却器４０から冷蔵空間１３へ送風しているときに開き、それ以外のときは閉じている。そのため、冷凍冷却中や停止モード中に冷凍冷却器４０から冷蔵空間１３へ冷気が送られることを防ぐことができ、冷蔵空間１３を適温に維持することができる。
【００３９】
また、上記のように冷凍冷却器４０から冷蔵空間１３への送風路４４に複数の吹出口４３が設けられているため、吹出口４３が設けられているそれぞれの場所（本実施形態では野菜室２２及びチルド室２４）を冷蔵冷却中に加湿することができる。ここで、上記のように各吹出口４３にそれぞれ第３ダンパ４５が設けられ、各第３ダンパ４５がそれぞれ個別に開閉制御されることにより、加湿が必要な場所を選択的に加湿することができる。また、送風路４４からチルド室２４への吹出口４３が設けられているため、冷蔵冷却中にチルド室２４をより早く、又はより低い温度に冷却することができる。
【００４０】
また、上記のように冷凍空間１５の吹出口４６及び吸込口４８を開閉する第１ダンパ４７及び第２ダンパ４９が設けられている。第１ダンパ４７及び第２ダンパ４９は冷凍冷却中に開きそれ以外のときは閉じるため、冷凍冷却中でないとき（すなわち冷凍冷却器４０で冷気が発生していないとき）に冷凍冷却器４０から冷凍空間１５へ空気が流れることを防ぐことができ、冷凍空間１５の温度が上昇することを防ぐことができる。
【００４１】
次に、上記の実施形態の変更例を説明する。上記の実施形態に対して、以下に説明する複数の変更例のうちいずれか１つを適用しても良いし、以下に説明する変更例のうちいずれか２つ以上を選択して適用しても良い。ただし、以下の変更例の他にも様々な変更が可能であり、発明の範囲は上記の実施形態及び以下の変更例の範囲に限定されない。
【００４２】
（変更例１）
冷蔵冷却中に冷凍ファン４２が回転して冷凍冷却器４０から冷蔵空間１３へ送風されているときに、冷凍冷却器４０の温度センサ４１が測定する温度が所定温度以上となった場合は、制御部５５は冷凍冷却器４０から冷蔵空間１３への送風を停止しても良い。すなわち、上記の場合に制御部５５が冷凍ファン４２の回転を停止するとともに冷凍冷却器４０から冷蔵空間１３への送風路４４を開閉する第３ダンパ４５を閉じても良い。この制御における前記所定温度とは、例えば、予め設定された温度（例えば−１０℃）である。
【００４３】
この制御によれば、冷蔵冷却中に冷凍冷却器４０の温度が所定温度以上となった場合に、冷凍冷却器４０がそれ以上高温になることを防ぐことができる。そのため、冷蔵冷却が終了して冷凍冷却が開始されたときに、高い温度の空気が冷凍空間１５へ送られることを防ぐことができる。
【００４４】
また、この制御における前記所定温度とは、冷蔵冷却器３０の温度を測定する温度センサ３１が測定した温度であっても良い。つまり、冷蔵冷却中に冷凍ファン４２が回転して冷凍冷却器４０から冷蔵空間１３へ送風されているときに、冷凍冷却器４０の温度が冷蔵冷却器３０の温度よりも高くなった場合に、制御部５５が冷凍ファン４２の回転を停止しても良く、またさらに第３ダンパ４５を閉じても良い。
【００４５】
冷蔵冷却器３０の温度よりも冷凍冷却器４０の温度が高くなると、冷凍冷却器４０に残っていた冷媒が冷蔵冷却中に冷蔵冷却器３０へ流れ込むおそれがある。しかしこの制御により、冷蔵冷却中に冷凍冷却器４０から冷蔵冷却器３０へ冷媒が流れることを防ぐことができる。
【００４６】
（変更例２）
冷蔵冷却中に冷凍ファン４２が回転して冷凍冷却器４０から冷蔵空間１３へ送風されているときに、冷蔵空間１３の温度が所定温度以下にまで下がった場合、制御部５５は冷凍冷却器４０から冷蔵空間１３への送風を停止しても良い。すなわち、上記の場合に制御部５５が冷凍ファン４２の回転を停止するとともに冷凍冷却器４０から冷蔵空間１３への送風路４４を開閉する第３ダンパ４５を閉じても良い。
【００４７】
この制御によれば、冷凍冷却器４０から冷蔵空間１３へ送られる空気によって冷蔵空間１３の温度が低下し過ぎることを防ぐことができる。
【００４８】
ここで、冷蔵冷却中に冷蔵空間１３の温度が所定の下限温度まで下がると冷蔵冷却が終了するよう制御されている場合は、冷蔵空間１３の温度が前記下限温度より若干高い温度（例えば前記下限温度＋１℃）となった時に制御部５５が冷凍ファン４２の回転を停止することが望ましい。
【００４９】
（変更例３）
冷蔵冷却中に冷凍ファン４２が回転して冷凍冷却器４０から冷蔵空間１３へ送風されている間に、製氷室２６で製氷が実施される場合がある。この場合は、冷凍冷却器４０から冷蔵空間１３への送風が停止されて冷凍冷却器４０から製氷室２６への送風が実施されるか、又は、冷凍冷却器４０から冷蔵空間１３への送風とともに冷凍冷却器４０から製氷室２６への送風も実施される。なお、この制御のためには、冷凍冷却器４０から製氷室２６への冷気の流路と、その流路のみを開閉するダンパとが必要である。この制御により製氷室２６へ必要な冷気が送られる。
【００５０】
（変更例４）
冷凍冷却器４０から冷蔵空間１３への送風路４４を開閉するダンパは、冷蔵空間１３への吹出口４３以外の場所に設けられていても良い。例えば、送風路４４内の、冷凍冷却器４０の場所から、冷凍冷却器４０から一番近い吹出口４３までの間の位置（例えば図２における二点鎖線Ａの位置）に設けられていても良い。
【００５１】
（変更例５）
上記実施形態の図２では、冷凍冷却器４０から冷蔵空間１３への送風路４４が、冷蔵冷却器３０から冷蔵空間１３への冷気の流路であるダクト３４から分離したものとして描かれている。しかし、図７に示すように、送風路４４が冷蔵空間１３の背後においてダクト３４と交わっていても良い。
【００５２】
その場合、冷蔵冷却中かつ冷凍冷却停止中にのみ冷凍冷却器４０から冷蔵空間１３へ空気が通過できるように、送風路４４を開閉するダンパが設けられる。図７に示すように送風路４４にチルド室２４及び野菜室２２へのそれぞれの吹出口４３が設けられている場合は、例えば、送風路４４内で吹出口４３よりも冷凍冷却器４０側の位置（図７における二点鎖線Ｂの位置）にダンパが設けられる。好ましい形態としては、図７に二点鎖線Ｂで示すように、このダンパは送風路４４の下端又は下端付近に設けられる。そして、このダンパは、冷凍冷却器４０から冷蔵空間１３へ送風するときに開き、それ以外のときは閉じる。
【００５３】
又は、同じく図７に示すように送風路４４にチルド室２４及び野菜室２２へのそれぞれの吹出口４３が設けられている場合において、上記の二点鎖線Ｂの位置の代わりに、送風路４４内で吹出口４３よりもダクト３４との交差部側の位置（図７における二点鎖線Ｃの位置）と全ての吹出口４３とにダンパが設けられても良い。そしてこれらのダンパのうち少なくとも一部は、冷凍冷却器４０から冷蔵空間１３へ送風するときに開く。またこれらの全てのダンパは、冷凍冷却器４０から冷蔵空間１３へ送風するとき以外は閉じる。
【００５４】
以上の構成において、冷蔵冷却中かつ冷凍冷却停止中に冷凍ファン４２が回転し各ダンパが開くと、冷凍冷却器４０周辺の空気の一部は、送風路４４の吹出口４３からチルド室２４及び野菜室２２へ送られる。また冷凍冷却器４０周辺の空気の別の一部は、送風路４４を経由してダクト３４へ送られダクト３４の吹出口３６から冷蔵室２０へ送られる。このようにして冷凍冷却器４０から冷蔵室２０へ送られる空気は温度が低いため冷蔵室２０の冷却に大きく寄与する。そのため冷蔵冷却の負荷を軽減することができ、冷蔵庫１０全体として省エネとなる。冷凍冷却の直後は冷凍冷却器４０の温度が低いため、冷凍冷却の直後に冷凍冷却器４０から冷蔵室２０へ空気が送られれば効果が大きい。
【符号の説明】
【００５５】
１０…冷蔵庫、１２…断熱箱本体、１３…冷蔵空間、１４…仕切壁、１５…冷凍空間、１６…機械室、２０…冷蔵室、２１…冷蔵室扉、２２…野菜室、２３…野菜室扉、２４…チルド室、２６…製氷室、２７…製氷室扉、２８…冷凍室、２９…冷凍室扉、３０…冷蔵冷却器、３１…温度センサ、３２…冷蔵ファン、３４…ダクト、３６…吹出口、３８…吸込口、４０…冷凍冷却器、４１…温度センサ、４２…冷凍ファン、４３…吹出口、４４…送風路、４５…第３ダンパ、４６…吹出口、４７…第１ダンパ、４８…吸込口、４９…第２ダンパ、５０…圧縮機、５１…凝縮器、５２…切り替え弁、５３…第１減圧装置、５４…第２減圧装置、５５…制御部
【図１】
2020008245.tif 000003
【図２】
2020008245.tif 000004
【図３】
2020008245.tif 000005
【図４】
2020008245.tif 000006
【図５】
2020008245.tif 000007
【図６】
2020008245.tif 000008
【図７】
2020008245.tif 000009